(57)【要約】【課題】経験または知識の有無に関係なく、既設の電線管に対して敷設可能な電線を一定の基準に基づいて選定することができるアナログ式敷設電線確認工具及び敷設電線の確認方法を提供する。【解決手段】電線管５０に対して敷設できる電線の本数及び種類が段階的に表示されたカード４０を挿入するカード挿入口を有する固定部２０と、カード４０の表示内容の一部を表示する表示窓３１を有する可動部３０とを嵌合することで可動部３０が固定部２０の長手方向下端部に沿って摺動自在に構成されるアナログ式敷設電線確認工具１０を用いて、固定部２０に可動部３０と同様の外観を有するカード４０を挿入した状態で、測定部１１で電線管５０の外径を測定した後、その測定結果に基づいた電線の敷設パターンを表示窓３１に表示するようにした。【選択図】図３
2009213273.tif 000002
【特許請求の範囲】
【請求項１】
電線管に対して敷設できる電線の本数及び種類が段階的に表示されたカードを挿入するカード挿入口を有する固定部と、前記カードの表示内容の一部を表示する表示窓を有する可動部とを備え、前記固定部に所定のカードを挿入した状態で、前記固定部と前記可動部とが嵌合されて可動部が固定部の長手方向に沿って摺動自在に構成される本体の長手方向の一端に至る軸線と直交する方向に突設されて形成される測定部に電線管を挟持した際に、無挟持状態からの移動変位量に基づいて、電線の本数及び種類が示された敷設可能な敷設パターンを表示窓に表示するように構成されたことを特徴とするアナログ式敷設電線確認工具。
【請求項２】
前記固定部の長手方向基端部に沿って目盛が設けられていることを特徴とする請求項１に記載のアナログ式敷設電線確認工具。
【請求項３】
前記可動部は、前記固定部の長手方向に沿って取外し可能に構成されており、前記固定部に挿入するカードの種類に応じて位置又は数が異なる表示窓を有する可動部が取付け自在に構成されたことを特徴とする請求項１又は２に記載のアナログ式敷設電線確認工具。
【請求項４】
前記可動部の表面には、前記固定部に挿入されるカードの模様及び色彩と同様の模様及び色彩の何れか又はそれらの組み合わせが付されていることを特徴とする請求項１〜３の何れか一項に記載のアナログ式敷設電線確認工具。
【請求項５】
電線管に対して敷設できる電線の本数及び種類が段階的に表示されたカードを挿入するカード挿入口を有する固定部と、前記カードの表示内容の一部を表示する表示窓を有する可動部とを嵌合することで可動部が固定部の長手方向下端部に沿って摺動自在に構成される工具を用いた敷設電線の確認方法であって、
前記固定部に前記可動部と同様の外観を有するカードを挿入した状態で、前記工具の測定部で電線管の外径を測定すると、その測定結果に基づいた電線の敷設パターンが表示窓に表示されることを特徴とする敷設電線の確認方法。
【発明の詳細な説明】
【技術分野】
【０００１】
本発明は、電線管路に電線を入線する作業において、特に既設設備に対して敷設できる電線を確認して選定する際に有用なアナログ式敷設電線確認工具及び敷設電線の確認方法に関する。
【背景技術】
【０００２】
従来から、電線管路に電線（ケーブル）を入線する作業では、作業者が電線を目視及び測定等をすることによって管路の種類、大きさを判断して、書籍等の資料に基づいて配線可能な電線の本数を確認することが必須となっている。
【０００３】
例えば、既設設備に新たに設備を増設する際に、電線を追加で敷設する場合がある。この作業において、既に敷設されている電線管に、どのような種類の電線をどれだけ敷設することができるかという敷設状況を確認する際には、電気に関する豊富な現場経験及び知識が必要となる。このような知識のない人は、例えば、既に敷設されている電線管の種類、大きさ等を現場で把握した後に、電線がどれだけ敷設できるのかという事実を書籍等の資料に基づいて確認する作業が必要となるため、時間と労力がかかってしまうという問題があった。
【０００４】
上述のような作業を支援する手法として、例えば、電線管類にケーブル等を収容する際に、適切な電線管類を簡単に選定することを可能とした選定表が提案されている（特許文献１参照）。この手法は、敷設するケーブルに対して電線管を選定するものであるため、既設設備に対する電線の追加作業にそのまま適用することができなかった。
【０００５】
また、既設設備に対する作業を支援する手段として、例えば、管路内にケーブルが収容されているかどうかを確認する工具が提案されている（特許文献２参照）。この技術は、単にケーブル収容の有無を確認するだけのものであるため、既設設備に対して電線を増設する場合などあらゆるパターンに応じて柔軟に用いることができなかった。
【０００６】
【特許文献１】特開２０００−０４１３１７号公報（特許請求の範囲等）
【特許文献２】実開平６−００９３１４号公報（特許請求の範囲等）
【発明の開示】
【発明が解決しようとする課題】
【０００７】
本発明はかかる事情に鑑み、経験または知識の有無に関係なく、既設の電線管に対して敷設可能な電線を一定の基準に基づいて選定することができるアナログ式敷設電線確認工具及び敷設電線の確認方法を提供することを目的とする。
【課題を解決するための手段】
【０００８】
上記目的を達成するための本発明の第１の態様は、電線管に対して敷設できる電線の本数及び種類が段階的に表示されたカードを挿入するカード挿入口を有する固定部と、前記カードの表示内容の一部を表示する表示窓を有する可動部とを備え、前記固定部に所定のカードを挿入した状態で、前記固定部と前記可動部とが嵌合されて可動部が固定部の長手方向に沿って摺動自在に構成される本体の長手方向の一端に至る軸線と直交する方向に突設されて形成される測定部に電線管を挟持した際に、無挟持状態からの移動変位量に基づいて、電線の本数及び種類が示された敷設可能な敷設パターンを表示窓に表示するように構成されたことを特徴とするアナログ式敷設電線確認工具にある。
【０００９】
かかる第１の態様では、電線管を測定部で挟持することで、無挟持状態からの移動変位量に基づいて、電線の本数及び種類が示された敷設可能な敷設パターンが測定結果として表示窓に表示されるため、経験または知識に関係なく容易に電線を選定することができる。また、所定のカードを用いることで、選定基準を標準化及び明確化することも可能となる。
【００１０】
本発明の第２の態様は、前記固定部の長手方向基端部に沿って目盛が設けられていることを特徴とする第１の態様に記載のアナログ式敷設電線確認工具にある。
【００１１】
かかる第２の態様では、目盛を用いた測定によって敷設電線の外径などを再度確認することができる。
【００１２】
本発明の第３の態様は、前記可動部は、前記固定部の長手方向に沿って取外し可能に構成されており、前記固定部に挿入するカードの種類に応じて位置又は数が異なる表示窓を有する可動部が取付け自在に構成されたことを特徴とする第１又は２の態様に記載のアナログ式敷設電線確認工具にある。
【００１３】
かかる第３の態様では、電線管や電線の種類に応じて、敷設可能な電線を一定の基準で柔軟性を持たせて選定することができる。
【００１４】
本発明の第４の態様は、前記可動部の表面には、前記固定部に挿入されるカードの模様及び色彩と同様の模様及び色彩の何れか又はそれらの組み合わせが付されていることを特徴とする第１〜３の何れか一つの態様に記載のアナログ式敷設電線確認工具にある。
【００１５】
かかる第４の態様では、電線管や電線の種類に応じて、確実に敷設可能な電線を一定の基準で選定することができる。
【００１６】
本発明の第５の態様は、電線管に対して敷設できる電線の本数及び種類が段階的に表示されたカードを挿入するカード挿入口を有する固定部と、前記カードの表示内容の一部を表示する表示窓を有する可動部とを嵌合することで可動部が固定部の長手方向下端部に沿って摺動自在に構成される工具を用いた敷設電線の確認方法であって、前記固定部に前記可動部と同様の外観を有するカードを挿入した状態で、前記工具の測定部で電線管の外径を測定すると、その測定結果に基づいた電線の敷設パターンが表示窓に表示されることを特徴とする敷設電線の確認方法にある。
【００１７】
かかる第５の態様では、電線管を測定部で挟み込むことで外径を測定し、その測定結果に応じて敷設可能な敷設パターンが表示されるため、一定の基準で確実に電線を選定することができる。
【発明の効果】
【００１８】
本発明によれば、経験または知識の有無に関係なく、既設の電線管に対して敷設可能な電線を一定の基準に基づいて選定することができるアナログ式敷設電線確認工具及び敷設電線の確認方法を提供することができる。
【発明を実施するための最良の形態】
【００１９】
以下、本発明を実施するための最良の形態について説明する。なお、本実施形態の説明は例示であり、本発明は以下の説明に限定されない。
【００２０】
図１は、本実施形態に係るアナログ式敷設電線確認工具を示す三面図であり、図２は、本実施形態に係るアナログ式敷設電線確認工具に用いるカードの表示内容の一例を示す図であり、図３は、本実施形態に係るアナログ式敷設電線確認工具の使用方法を示す図である。本実施形態は、既設設備（電線管路）に電線を入線する作業に適用する場合を想定している。
【００２１】
図示するように、アナログ式敷設電線確認工具１０は、固定部２０と可動部３０とを備えている。固定部２０は、板形状からなり、その長手方向の一端に至る軸線と直交する方向に突設して、後述する測定部１１を構成する一方の部材が形成されている。そして、固定部２０の長手方向基端部には、目盛２２が設けられている。また、固定部２０の片側面（測定部１１に近い側の面）には、所定のカード４０を挿入するカード挿入口２１が形成されている。このような構成により、固定部２０は、いわゆるノギスの固定部位に相当する部材を形成する。
【００２２】
可動部３０は、板形状からなり、その長手方向の軸線と直交する方向に突設して、後述する測定部１１を構成する他方の部材が形成されている。そして、同一面上に、カード４０の表示内容の一部を表示する表示窓３１を有している。図１に示す例では、長手方向と直交する方向に表示窓３１が２列設けられている。この表示窓３１は、単独で設けられていてもよいし、２列以上で設けられていてもよい。また、詳細は後述するが、測定する電線管５０の種類に応じて、可動部３０に形成される表示窓３１の位置がある程度固定されるため、カード４０の表示内容に応じて可動部３０の取り換えが可能であることが好ましい。このような構成により、可動部３０は、いわゆるノギスの可動部位に相当する部材（図の斜線を付した部分）を形成する。
【００２３】
ここで、可動部３０は、固定部２０の長手方向に沿って取外し可能に構成されており、固定部２０に挿入するカード４０の種類に応じて位置及び数が異なる表示窓３１を有する可動部３０を選定して取り付けることができるようになっている。
【００２４】
上述のような固定部２０は樹脂で形成されており、少なくとも固定部２０のカードが挿入される部分（図示する点線内の部分）は、透明のアクリル材で形成されていることが好ましい。これにより、カード４０を固定部２０に挿入した状態で、挿入したカード４０の外観を確認することができるようになる。一方、可動部３０は固定部２０と同等の材質で形成されていることが好ましい。これにより、材料の変形などによって生じる測定結果のばらつきを低減することができる。勿論、固定部２０及び可動部３０とも、上述のような材質に限定されず、金属材料で形成されたものであってもよいことは言うまでもない。
【００２５】
上述のような固定部２０と可動部３０とを嵌合することで、アナログ式敷設電線確認工具１０の本体が構成されて、可動部３０が固定部２０の長手方向に沿って摺動自在に構成される。そして、本体の長手方向の一端に至る軸線と直交する方向には、測定部１１が突設されて形成されている。
【００２６】
本実施形態では、上述のような測定部１１に電線管５０を挟持した際に、電線管５０を挟んでいない無挟持状態（目盛２２が０の状態）からの移動変位量に基づいて、電線の本数及び種類が示された敷設可能な敷設パターンが表示窓３１に表示されるようになっている（図３参照）。ここでいう、敷設パターンは、カード４０の表示内容の一部であり、所定の基準に従って明記されているものである。また、表示窓３１が複数である場合には、最も一致する表示窓３１の表示を選定するようにする。
【００２７】
ここで、上述したカード４０の表示内容について説明する。図２に例示するように、カード４０には、電線管５０に対して敷設できる電線の本数及び種類が段階的に（複数パターン）表示されている。
【００２８】
具体的には、「薄鋼電線管」の外径に対して想定できる敷設パターンが、単線とより線のそれぞれに対して線種ごとに示されている。ここで、単線の線種は直径（ｍｍ）ごとに示されており、より線の線種は面積（ｍｍ２）ごとに示されている。また、敷設パターンは、各線種に応じて敷設可能な電線の本数で示されている。このように、電線管５０の種類（断面積）や電線の種類に応じて、敷設できる電線の本数が異なってくるため、各電線管または各電線に応じて敷設パターンが表示されるカード４０を複数枚作成して用いることが好ましい。
【００２９】
このようなカード４０は、例えば、列単位で色分けをして作成することが考えられる。これにより、例えば、電線の種別に対応する電線の本数を見易くすることができると共に、作業性を向上させて読み間違いを防止することも可能になる。
【００３０】
また、カード４０は、可動部３０の表面と同様の模様及び色彩の何れかまたはそれらの組み合わせが付されていることが好ましい。すなわち、可動部３０と同様の外観を有するカード４０を固定部２０に挿入した状態で、アナログ式敷設電線確認工具１０の測定部１１で電線管５０の外径を測定する（電線管５０を挟み込む）ようにすればよい。これにより、固定部２０に可動部３０を取り付ける際に、固定部２０に挿入されたカード４０と可動部３０との組み合わせを容易に認識することができると共に、電線管５０に対する電線を間違いなく確実に選定することができる。
【００３１】
このようなカード４０を作成することによって、電線管５０に対する電線の選定基準を標準化することができ、作業者の負担を軽減させることが可能となる。
【００３２】
上述したように、本実施形態のアナログ式敷設電線確認工具１０によれば、カード４０を本体に挿入した状態で、測定部１１で被測定物である電線管５０の外径を測定する（電線管５０を挟み込む）ことで、その電線管５０に対して敷設可能な電線の各パターン（挿入したカード４０の表示内容の一部）が測定結果として表示されるため、敷設作業の経験や知識がない場合であっても、一定の基準に基づいて電線を選定することができるようになっている。なお、本実施形態は、これに限定されず、アナログ式敷設電線確認工具１０を通常のノギスとして用いて各種測定を行うことができることは勿論である。
【００３３】
また、本実施形態の被測定物は電線管５０に限らず、電線そのものであってもよい。すなわち、電線管５０に既に敷設されている電線を目盛２２によって測定して、その測定結果及び表示窓３１に表示された敷設パターンに基づいて、他の電線を追加する場合の作業に用いることもできる。
【図面の簡単な説明】
【００３４】
【図１】本実施形態に係るアナログ式敷設電線確認工具を示す三面図である。
【図２】本実施形態に係るアナログ式敷設電線確認工具に用いるカードの表示内容の一例を示す図である。
【図３】本実施形態に係るアナログ式敷設電線確認工具の使用方法を示す図である。
【符号の説明】
【００３５】
１０  アナログ式敷設電線確認工具
１１  測定部
２０  固定部
２１  カード挿入口
２２  目盛
３０  可動部
３１  表示窓
４０  カード
５０  電線管
【図１】
2009213273.tif 000003
【図２】
2009213273.tif 000004
【図３】
2009213273.tif 000005